(57)【要約】  本発明は、異種化粧料の化粧品容器に関し、第２の化粧料を備え、回動可能に設けられた上容器部１０と、第１の化粧料を備えた下容器部２０と、上容器部１０の下端に回動可能に固設され、前記下容器部２０の上端に着脱式で結合される取っ手部３０と、前記第２の化粧料を吐出可能に備える吐出部４０とを含んで構成され、化粧品容器の簡易操作により、異種化粧料のうち、所望する１つの化粧料だけを使用するか、又は、２つの化粧料を１つのチップを用いて混合使用することができる。また、本発明は、第１の化粧料の使用後、第２の化粧料を必要なだけ吐出して使用することで、コントゥアリングメイクアップが可能となるので、剤形(第１の化粧料は、ＢＢクリーム、第２の化粧料は、ハイライト、シェーディング、又はチークなど)により顔の輪郭を活かすか、立体感を与えるような皮膚の表現が可能であり、更に、第１の化粧料としてクリーム剤形、第２の化粧料としてエッセンスを使用するか、又は、第１の化粧料として日焼け止め剤形、第２の化粧料としてクーリング製品を使用して、スキンケアと皮膚保護用の化粧品容器として使用することができる。【選択図】図２
2020512152.tif 000002
【特許請求の範囲】
【請求項１】
第２の化粧料を備え、回動可能に設けられた上容器部１０と、
第１の化粧料を備えた下容器部２０と、
前記上容器部１０の下端に回動可能に固設され、前記下容器部２０の上端に着脱式で  結合される取っ手部３０と、
前記第２の化粧料を吐出可能に備える吐出部４０とを含むことを特徴とする異種化粧料の化粧品容器。
【請求項２】
前記上容器部１０は、下部が開放され、上部は閉塞した形状に離隔配置された内壁１２と外壁１３とからなり、
前記内壁１２は、上部が閉塞され、下部が開放した形状に内側上部に空間を形成しており、
前記内壁１２の内側面には、ねじ山１２ａが形成されるか、もしくは溝１２ｂが形成されることを特徴とする請求項１に記載の異種化粧料の化粧品容器。
【請求項３】
前記下容器部２０は、上部が開放され、下部は閉塞した容器形状であり、
容器本体の上部外側枠には、締結手段２２ａが設けられることを特徴とする請求項１に記載の異種化粧料の化粧品容器。
【請求項４】
前記下容器部２０の上端内側には、パッキング部２５が設けられることを特徴とする請求項３に記載の異種化粧料の化粧品容器。
【請求項５】
前記パッキング部２５は、円筒形状であり、上端は、外側に折曲げ形成されたフランジ状の係止鍔２５１が形成されて、前記下容器部２０の上端に係止するように構成され、下部は、中心部に向かってテーパからなることを特徴とする請求項４に記載の異種化粧料の化粧品容器。
【請求項６】
前記テーパには、複数の切開ラインを形成することを特徴とする請求項５に記載の異種化粧料の化粧品容器。
【請求項７】
前記取っ手部３０は、内壁３１と外壁３２とからなる中空の上下部貫通形状であり、
前記内壁３１の下端には、内側に係止フランジ３１ａが折曲げ形成されており、
前記外壁３２の内側下部には、前記下容器部２０の上部と結合するための締結手段３２ａが備えられ、外壁の外側面には、複数の突起や凹凸部が形成されることを特徴とする請求項１に記載の異種化粧料の化粧品容器。
【請求項８】
前記吐出部４０は、前記上容器部１０の内側に設けられる第２の化粧料を下方向に移動させて吐出するために、第１の吐出部４１と、第１の吐出部４１と下方向に連通して結合された第２の吐出部４２と、前記第１の吐出部４１の外側面に沿って、上方向移動又は上下移動する移動トレイ部４３と、前記第２の吐出部４２の内側に設けられる吐出調節部４４と、前記第２の吐出部４２の下端に連通して結合されるチップ４５とを含むことを特徴とする請求項１に記載の異種化粧料の化粧品容器。
【請求項９】
前記第１の吐出部４１は、前記上容器部１０の内側中央に位置され、第１の吐出部の上端と上容器部１０の内壁の内側上部面とは離隔配置され、上下が開放した第１の吐出管４１１からなり、
前記第１の吐出管４１１の外側面には、スクリューねじ山４１１ａが形成され、前記第１の吐出管４１１の下端には、第１の結合部４１２）が、第１の吐出管４１１の径よりも大きく突設することを特徴とする請求項８に記載の異種化粧料の化粧品容器。
【請求項１０】
前記移動トレイ部４３は、内トレイ４３１と外トレイ４３２とからなり、
前記内トレイ４３１の内側面には、スクリューねじ山４３１ａが形成されており、
前記外トレイ４３２の外側面には、スクリューねじ山４３２ａが形成されるか、もしくは突起４３２ｂが形成され、
前記上容器部１０の回動に伴い、前記第１の吐出部４１の第１の吐出管４１１の外側面に沿って、上方向移動又は上下移動することを特徴とする請求項８に記載の異種化粧料の化粧品容器。
【請求項１１】
前記第２の吐出部４２は、上下が開放した第２の吐出管４２１から構成され、
第２の吐出管４２１の上端には、第２の結合部４２２が形成されて、前記第１の吐出部４１の第１の結合部４１２と密着結合され、
前記第２の吐出管４２１の内側の所定位置には、貫通孔（ｐ）を備えた流動調節膜４２１ａが形成されることを特徴とする請求項８に記載の異種化粧料の化粧品容器。
【請求項１２】
前記吐出調節部４４は、移動膜４４１と、前記移動膜４４１の下部に結合される弾性体４４２とからなり、前記第２の吐出部４２の第２の吐出管を介して流動する第２の化粧料の流れを調節することを特徴とする請求項８に記載の異種化粧料の化粧品容器。
【請求項１３】
前記チップ４５は、前記第２の吐出部４２の下端に結合される上部チップ４５１と、前記第２の吐出部４２と連結される貫通路が内部に形成された本体４５２とからなり、
前記本体４５２の側部又は下部には、貫通路の吐出溝（ｈ）が設けられることを特徴とする請求項８に記載の異種化粧料の化粧品容器。
【請求項１４】
前記チップ４５の本体４５２には、一体に形成されるか、もしくは別に形成された後に固定付着されたスプレッド部４５３が形成され、前記スプレッド部４５３を除く本体４５２には、含浸材が設けられることを特徴とする請求項１３に記載の異種化粧料の化粧品容器。
【請求項１５】
前記チップ４５の本体４５２又はスプレッド部４５３は、シリコンやエラストマ材質から形成されることを特徴とする請求項１４に記載の異種化粧料の化粧品容器。
【請求項１６】
前記含浸材は、フロッキングからなるか、もしくは、ポリウレタンラバー又はポリウレタンフォームの素材からなるか、綿、スポンジ、又は綿からなることを特徴とする請求項１４に記載の異種化粧料の化粧品容器。
【請求項１７】
前記上容器部１０の内壁下端には、外部に突出する外部突起１２ｃを備え、前記取っ手部３０の内壁３１の内側面には、前記外部突起に対応する環状結合溝３１ｂを備え、
前記上容器部１０が前記取っ手部に締結されたまま回動することを特徴とする請求項１に記載の異種化粧料の化粧品容器。
【発明の詳細な説明】
【技術分野】
【０００１】
本発明は、化粧品容器に関し、より詳しくは、異種化粧料を備え、２つの化粧料のいずれか１つの化粧料のみを使用するか、又は、容器の操作によって、２つの化粧料を、１つのチップを用いて順次使用するか、又は、混合使用ができるように構成された、異種化粧料を使用可能な化粧品容器に関する。
【背景技術】
【０００２】
化粧品は、固形、液状、又はゲル状の化粧料として製造して使用されており、化粧料のタイプに合わせて、これを保管する化粧品容器も、様々に製造されている。
【０００３】
また、化粧料は、様々な製品類に分類され、固形及び液状化粧料である化粧水、ローション、エッセンス、オイル、リップグロス、リップティント、液状ファンデーション、液状メイクアップ製の殆どは、それぞれ、１つの化粧料容器に収められて使用している。
【０００４】
ところで、化粧品に機能性を追加した製品が持続的に発売されており、該当機能性化粧料を交ぜて使用することが頻繁に起きている。しかし、別の容器にそれぞれ収められた化粧料を、手の甲や別のプレートで混合して使用しているので、面倒で且つ煩わしい問題がある。
【０００５】
これに、２つの化粧料を１つの容器内で混合して使用する混合型化粧料容器が開発されているが、登録実用新案第２０−０４６９８５５号に開示されたスポイト結合型粉末混合化粧容器の場合は、２つの液状化粧料を混合して使用できない構成であり、登録実用新案第２０−０４７３９６８号に開示されたポンピング部材と押釦とからなり、異種内容物を排出して使用する化粧品容器は、異種内容物を押釦の押圧力で順次排出しなければならないので、押圧力の調節が難しく、さらに、使用しようとする内容物を選択的に使用し難いという問題がある。
【０００６】
また、従来の化粧品容器において用いられるチップは、その形状及び材質上、使用者が皮膚にまんべんなく塗ることが容易でないという問題があり、従来のチップの材質が化粧料と反応して脹れ上がるなど、チップの形状が崩れる現象もあり、化粧料との反応による使用製品の安定性に対する虞があった。 
【先行技術文献】
【特許文献】
【０００７】
特許文献１：大韓民国登録実用新案第２０−０４６９８５５号
特許文献２：大韓民国登録実用新案第２０−０４７３９６８号
【発明の概要】
【発明が解決しようとする課題】
【０００８】
本発明の目的は、異種化粧料を備えた化粧品容器の簡易操作によって、異種化粧料のいずれか１つの化粧料だけを使用するか、又は２つの化粧料を１つのチップを用いて順次使用するか、又は、混合使用が可能であるように構成された、異種化粧料を使用可能な化粧品容器を提供することである。
【課題を解決するための手段】
【０００９】
前記目的を達成するために、本発明による異種化粧料の化粧品容器は、第２の化粧料を備え、回動可能に設けられた上容器部１０と、第１の化粧料を備えた下容器部２０と、前記上容器部１０の下端に回動可能に固設され、前記下容器部２０の上端に着脱式で結合される取っ手部３０と、前記第２の化粧料を吐出可能に備える吐出部４０とを含むことを特徴とする。
【００１０】
前記上容器部１０は、下部が開放され、上部は閉塞した形状に離隔配置された内壁１２と外壁１３とからなり、前記内壁１２は、上部が閉塞され、下部が開放した形状に内側上部に空間を形成しており、前記内壁１２の内側面には、ねじ山１２ａが形成されるか、もしくは溝１２ｂが形成される。
【００１１】
前記下容器部２０は、上部が開放され、下部は閉塞した容器形状であり、容器本体の上部外側枠には、締結手段２２ａが設けられる。
【００１２】
前記下容器部２０の上端内側には、パッキング部２５が設けられる。
【００１３】
前記パッキング部２５は、円筒形状であり、上端は、外側に折曲げ形成されたフランジ状の係止鍔２５１が形成されて、前記下容器部２０の上端に係止するように構成され、下部は、中心部に向かってテーパからなる。
【００１４】
前記テーパには、複数の切開ラインを形成する。
【００１５】
前記取っ手部３０は、内壁３１と外壁３２とからなる中空の上下部貫通形状であり、前記内壁３１の下端には、内側に係止フランジ３１ａが折曲げ形成されており、前記外壁３２の内側下部には、前記下容器部２０の上部と結合するための締結手段３２ａが備えられ、外壁の外側面には、複数の突起や凹凸部が形成される。
【００１６】
前記吐出部４０は、前記上容器部１０の内側に設けられる第２の化粧料を下方向に移動させて吐出するために、第１の吐出部４１と、第１の吐出部４１と下方向に連通して結合された第２の吐出部４２と、前記第１の吐出部４１の外側面に沿って、上方向移動又は上下移動する移動トレイ部４３と、前記第２の吐出部４２の内側に設けられる吐出調節部４４と、前記第２の吐出部４２の下端に連通して結合されるチップ４５とを含む。
【００１７】
前記第１の吐出部４１は、前記上容器部１０の内側中央に位置され、第１の吐出部の上端と上容器部１０の内壁の内側上部面とは離隔配置され、上下が開放した第１の吐出管４１１からなり、前記第１の吐出管４１１の外側面には、スクリューねじ山４１１ａが形成され、前記第１の吐出管４１１の下端には、第１の結合部４１２が、第１の吐出管４１１の径よりも大きく突設する。
【００１８】
前記移動トレイ部４３は、内トレイ４３１と外トレイ４３２とからなり、前記内トレイ４３１の内側面には、スクリューねじ山４３１ａが形成されており、前記外トレイ４３２の外側面には、スクリューねじ山４３２ａが形成されるか、もしくは突起４３２ｂが形成され、前記上容器部１０の回動に伴い、前記第１の吐出部４１の第１の吐出管４１１の外側面に沿って、上方向移動又は上下移動する。
【００１９】
前記第２の吐出部４２は、上下が開放した第２の吐出管４２１から構成され、第２の吐出管４２１の上端には、第２の結合部４２２が形成されて、前記第１の吐出部４１の第１の結合部４１２と密着結合され、前記第２の吐出管４２１の内側の所定位置には、貫通孔(ｐ)を備えた流動調節膜(４２１ａ)が形成される。
【００２０】
前記吐出調節部４４は、移動膜４４１と、前記移動膜４４１の下部に結合される弾性体４４２とからなり、前記第２の吐出部４２の第２の吐出管を介して流動する第２の化粧料の流れを調節する。
【００２１】
前記チップ４５は、前記第２の吐出部４２の下端に結合される上部チップ４５１と、前記第２の吐出部４２と連結される貫通路が内部に形成された本体４５２とからなり、前記本体４５２の側部又は下部には、貫通路の吐出溝(ｈ)が設けられる。
【００２２】
前記チップ４５の本体４５２には、一体に形成されるか、もしくは別に形成された後、固定付着されたスプレッド部４５３が形成され、前記スプレッド部４５３を除く本体４５２には、含浸材が設けられる。
【００２３】
前記チップ４５の本体４５２又はスプレッド部４５３は、シリコンやエラストマ材質から形成される。
【００２４】
前記含浸材は、フロッキングからなるか、もしくはポリウレタンラバー又はポリウレタンフォームの素材からなるか、綿、スポンジ、又は綿からなる。
【００２５】
前記上容器部１０の内壁下端には、外部に突出する外部突起１２ｃを備え、前記取っ手部３０の内壁３１の内側面には、前記外部突起に対応する環状結合溝３１ｂを備え、前記上容器部１０が前記取っ手部に締結されたまま回動する。
【発明の効果】
【００２６】
本発明は、化粧品容器の簡易操作により、異種化粧料のうち、所望する１つの化粧料だけを使用するか、又は、２つの化粧料を１つのチップを用いて混合使用することができる。
【００２７】
また、本発明は、第１の化粧料の使用後、第２の化粧料を必要なだけ吐出して使用することで、コントゥアリングメイクアップが可能となるので、剤形(第１の化粧料は、ＢＢクリーム、第２の化粧料は、ハイライト、シェーディング、又はチークなど)により顔の輪郭を活かすか、立体感を与えるような皮膚の表現が可能である。
【００２８】
更に、本発明の容器に、第１の化粧料としてクリーム剤形、第２の化粧料としてエッセンスを使用するか、又は、第１の化粧料として日焼け止め剤形、第２の化粧料としてクーリング製品を使用して、スキンケアと皮膚保護用の化粧品容器として使用することができる。
【図面の簡単な説明】
【００２９】
【図１】図１は、本発明の一実施例による異種化粧料の化粧品容器の外部形状を示す図である。
【図２】図２は、本発明の一実施例による異種化粧料の化粧品容器の分解斜視図である。
【図３】図３は、本発明の一実施例による異種化粧料の化粧品容器の概略断面図である。
【図４】図４は、図３の作動図である。
【図５】図５の(ａ)は、本発明の他の実施例による異種化粧料の化粧品容器の上容器部１０の断面図であり、(ｂ)は、これに結合される移動トレイ３０の形状を示す図である。
【図６】図６は、本発明の更に他の実施例による異種化粧料の化粧品容器の上容器部１０と取っ手部３０を示す図である。
【発明を実施するための形態】
【００３０】
以下、図面を参照して、本発明の実施例による異種化粧料の化粧品容器について、詳細に説明する。
【００３１】
図１は、本発明の一実施例による異種化粧料の化粧品容器の外部形状を示す図、図２は、本発明の一実施例による異種化粧料の化粧品容器の分解斜視図、図３は、本発明の一実施例による異種化粧料の化粧品容器の概略断面図、図４は、図３の作動図、図５の(ａ)は、本発明の他の実施例による異種化粧料の化粧品容器の上容器部１０断面図であり、図５の(ｂ)は、これに結合される移動トレイ３０の形状を示す図、図６は、本発明の更に他の実施例による異種化粧料の化粧品容器の上容器部１０と取っ手部３０を示す図である。
【００３２】
図１乃至図６に示しているように、本発明による異種化粧料の化粧品容器１は、第２の化粧料(Ｃ２)を備え、回動可能に構成された上容器部１０と、第１の化粧料(Ｃ１)を備えた下容器部２０と、上容器部１０の下端に回動可能に固設され、下容器部２０の上端に着脱式で結合される取っ手部３０と、第２の化粧料(Ｃ２)を吐出する吐出部４０とを含む。 
【００３３】
上容器部１０は、下部は開放し、上部は閉塞した形状で、具体的には、離隔配置された内壁１２と外壁１３からなり、内壁の下部が外壁の下部よりも下向きに更に突設しており、内壁は、上部が密閉し、下部が開放した形状で、内側上部に化粧料を貯留可能な空間を設けており、外壁は、下部が密閉し、上部が開放した形状からなる。また、内壁の内側面には、ねじ山１２ａが形成されており、上容器部の上端には、蓋体１５が着脱式で結合される。
【００３４】
上容器部１０の内壁の内側上部に形成された空間には、第２の化粧料(Ｃ２)が貯留され、上容器部１０は、上下動することなく、回動可能に構成される。
【００３５】
下容器部２０は、上部が開放し、下部が閉塞した形状であって、容器本体２２の上部の外枠には、更に締結手段２２ａが設けられ、容器の内部には、第１の化粧料(Ｃ１)が貯留される。
【００３６】
また、下容器部２０の上端内側には、チップ４５に付けられた第１の化粧料(Ｃ１)の量を調節するパッキング部２５が設けられる。ここで、パッキング部２５は、円筒状であって、上端には、外側に折曲げて形成されたフランジ状の係止鍔２５１が設けられることで、下容器部２０の上端に係止するように構成され、下部は、中心部に向かって傾斜した形状のテーパ部２５２から構成され、テーパの下端の径は、含浸材が含有されるか、含浸材に付けられている第１の化粧料を取るように、含浸材が設けられたチップ４５の径と同一又は大きめに設けられる。また、テーパ部２５２には、多数の切開ラインを形成することで、テーパの下端を通じて、チップ４５の上下動がスムーズに行われるようにし、テーパの下端にチップ４５が係止するようなことを防止することができる。
【００３７】
取っ手部３０は、後述する吐出部４０に対して、上容器部１０が相対的に回動可能であるように、上部は、上容器部１０の下部に回動可能に固定結合され、下部は、下容器部２０の上部に着脱式で結合され、上容器部１０の回動に際して、相対的に吐出部４０の管路を固定する役割を果たす。
【００３８】
また、取っ手部の外側面には、複数の突起や凹凸部を設けることで、取っ手部を取って上容器部を回動するとき、滑りなく回動を容易にすることができる。
【００３９】
本発明では、取っ手部３０が、内壁３１と外壁３２となる中空の上下部貫通形状であって、内壁３１の下端には、内側に係止フランジ３１ａを折曲げて形成することで、吐出部４０の第２の吐出部の第２の結合部が係止して、下方向に離脱しないようにし、外壁の内側下部には、下容器部２０の上部に形成された締結手段２２ａに対応する締結手段３２ａを形成することで、内壁の上部が上容器部１０の下部に結合され、外壁の内側下部が下容器部２０の上部に結合されるようにしているが、このような形状に限定されるものではないことは、明らかである。
【００４０】
取っ手部に両方向より加えられる使用者の把持力は、吐出部４０の第１の吐出部４１と第２の吐出部４２との結合部を密着押圧して、固定するようにする。
【００４１】
吐出部４０は、上容器部１０の内側に設けられた第２の化粧料(Ｃ２)を下方向移動させて吐出するようにしたもので、第１の吐出部４１と、第１の吐出部４１と下方向に連通するように結合された第２の吐出部４２と、第１の吐出部４１の外側面に沿って、上方向移動又は上下動する移動トレイ部４３と、第２の吐出部４２の内側に設けられる吐出調節部４４と、第２の吐出部４２の下端に連通するように結合されるチップ４５とからなる。
【００４２】
第１の吐出部４１は、上容器部１０の内側中央に位置し、第１の吐出部の上端と上容器部１０の内壁の内側上部面とは離隔配置されるもので、上下が開放した第１の吐出管４１１から構成されており、第１の吐出管４１１の外側面には、スクリューねじ山４１１ａが形成されており、第１の吐出管４１１の下端には、第１の結合部４１２が第１の吐出管４１１の径よりも大きく突設している。これは、移動トレイ部４３が下部へ離脱することを防止するためである。
【００４３】
移動トレイ部４３は、上容器部１０の回動によって、第１の吐出部４１の第１の吐出管４１１の外側面に沿って上方向移動するもので、内トレイ４３１と外トレイ４３２からなり、内トレイ４３１の内側面には、第１の吐出管４１１のスクリューねじ山４１１ａに対応するスクリューねじ山４３１ａが設けられており、外トレイ４３２の外側面には、上容器部１０のねじ山１２ａに対応するスクリューねじ山４３２ａが設けられている。ここで、内トレイと外トレイは、密着固定するように結合するのが望ましい。
【００４４】
本発明では、移動トレイが単に上方向移動することを示しているが、これに限定されるものではなく、上容器部の回動方向によって、上下動できるように構成することができる。
【００４５】
また、移動トレイ部４３を、上容器部１０の回動によって、第１の吐出部４１の第１の吐出管４１１の外側面に沿って上方向又は上下方向に移動させるために、内トレイ４３１の内側面には、第１の吐出管４１１のスクリューねじ山４１１ａに対応するスクリューねじ山４３１ａを形成し、上容器部１０の内壁の内側面には、ねじ山１２ａの代わりに、複数の溝１２ｂを形成し、外トレイ４３２の外側面には、上容器部１０の溝１２ｂに対応する突起４３２ｂを形成することができる。
【００４６】
更に、移動トレイ部４３を、上容器部１０の回動によって、第１の吐出部４１の第１の吐出管４１１の外側面に沿って上方向又は上下方向に移動させるために、上容器部１０の内壁の下端には、外部に突出する外部突起１２ｃを形成し、該当外部突起は、取っ手部３０の内壁３１の内側面に更に形成された環状結合溝３１ｂに着脱式で結合され、上容器部１０が取っ手部に結着されたまま回動するように構成することができる。 
【００４７】
このように、上容器部１０の回動によって、第１の吐出部４１の第１の吐出管４１１に沿って、上方向移動する移動トレイ部４３によって、上容器部１０の内壁の内側上部に貯留された第２の化粧料(Ｃ２)は、上方向移動することになり、上方向移動される第２の化粧料(Ｃ２)は、連通するように配置された第１の吐出管４１１の上部を介して流入されて、第１の吐出管４１１に沿って、下方向移動することになる。
【００４８】
また、第２の吐出部４２は、第１の吐出部４１の下端に、下方向に連通するように結合されるもので、上下が開放した第２の吐出管４２１から構成され、第２の吐出管４２１の上端には、第２の結合部４２２が形成され、第１の吐出部４１の第１の結合部４１２と密着結合される。また、第２の吐出管４２１の内側の所定位置には、貫通孔(ｐ)を備えた流動調節膜４２１ａが形成されることで、第２の吐出管４２１の上方向から下方向へ流動する化粧料(Ｃ２)の流れを調節することができる。貫通孔(ｐ)の径が、第２の吐出管４２１の内径よりも小さいことは、言うまでもない。
【００４９】
吐出調節部４４は、第２の吐出管４２１の内側の流動調節膜４２１ａの下部に配置されるもので、流動調節膜４２１ａの貫通孔(ｐ)を開放又は閉塞する移動膜４４１と、移動膜４４１の下部に結合されるバネのような弾性体４４２とから構成される。
【００５０】
ここで、移動膜４４１は、球状、半球状、板状、円板状などの様々な形状が可能であり、移動膜４４１の径は、第２の吐出管の内径よりは小さく、貫通孔(ｐ)の径よりは大きいべきである。
【００５１】
また、弾性体４４２は、バネの他に、バネ復元力を有する様々な材質が可能であり、弾性力の大きさは、上方向より押し寄せてくる第２の化粧料(Ｃ２)が、貫通孔(ｐ)を通過して加えられる力によって圧縮が可能な程度であれば、差し支えない。
【００５２】
チップ４５は、第２の吐出部４２の下端に連通するように結合されるもので、第２の吐出部４２の下端に結合される上部チップ４５１と、内部に第２の吐出部４２と連結される貫通路が形成された本体４５２とからなり、本体４５２の側部又は下部には、貫通路の吐出溝(ｈ)が設けられている。ここで、本体４５２には、一体に形成されるか、別に形成された後に固定付着されたスプレッド部４５３が形成され、スプレッド部４５３を除く本体４５２には、フロッキング(flocking)のような含浸材を備えることができる。
【００５３】
チップの本体４５２内の貫通路を介して、第２の化粧料(Ｃ２)が吐出され、含浸材は、チップ４５が下容器部２０内の第１の化粧料(Ｃ１)中に挿入されたとき、第１の化粧料(Ｃ１)を含有することになる。また、スプレッド部４５３は、第１の化粧料又は第２の化粧料を、使用者が皮膚に薄く塗るためのものである。
【００５４】
ここで、チップ４５、すなわち、チップの本体とスプレッド部は、シリコンやエラストマ、望ましくは、エラストマを加工して成形したもので、エラストマは、化粧料との反応性がほとんどない材質である。このように、チップをエラストマ材質から形成することで、従来、チップ材質が化粧料と反応して膨れ上がることを防止して、使用製品の安定性を高めることができる。
【００５５】
本発明において、チップ４５を、シリコンやエラストマを用いて製作しているが、これに限定されるものではなく、化粧料との有害な反応性はなく、弾性及び耐久力を有する材質は、いずれも構わない。
【００５６】
また、本発明では、含浸材として、フロッキングを例示しているが、これに限定されるものではなく、第１の化粧料(Ｃ１)を十分含有し、また、第２の化粧料(Ｃ２)を外部に透過させることができ、第１の化粧料(Ｃ１)と第２の化粧料(Ｃ２)が含有した状態で混合することができるポリウレタンラバー又はポリウレタンフォームのような素材からなる含浸材も可能であり、綿、スポンジ、又は綿の形状からなる含浸材も可能である。
【００５７】
また、本発明では、チップの形状を、貫通路を備えたチップ本体とスプレッド部とが更に形成されたものを示しているが、これに限定されるものではなく、枠の役割をするプラスチック材質の袋形状に含浸材が被らせるように構成するか、又は通常のシリコン材質を用いて形成することもできる。 
【００５８】
このように構成された本発明の一実施例による異種化粧料の化粧品容器の作動を、図４を参考して説明すると、以下の通りである。
【００５９】
まず、第１の化粧料(Ｃ１)が貯留されている下容器部２０と、第２の化粧料(Ｃ２)が貯留されている上容器部１０とが、取っ手部３０を介して互いに結合された状態で、吐出部の第２の吐出管４２とチップ４５が、下容器部２０内の第１の化粧料(Ｃ１)内に挿入されているので、第１の化粧料(Ｃ１)が本体の含浸材に含有されることになる。 
【００６０】
この状態で、下容器部２０を取って、取っ手部３０を回すことになると、取っ手部３０の下端と下容器部２０の上端が分離しながら、吐出部の第２の吐出管４２とチップ４５が外部に露出することになる。
【００６１】
この時、外部に露出する過程において、チップ４５の含浸材４５３に含有されている第１の化粧料(Ｃ１)の量は、パッキング部２５のテーパ部２５２下端を通過しながら、適量に調節されることになる。
【００６２】
外部に露出した含浸材４５３に含有されている第１の化粧料(Ｃ１)を、皮膚に塗布して使用することができる。
【００６３】
また、第２の化粧料(Ｃ２)を使用するために、取っ手部３０を取って、上容器部１０を回動することになると、上容器部１０の回動力によって、上容器部１０の内壁１２の内側面と吐出部４０の第１の吐出管４１の外側面とにスクリューねじ結合された移動トレイ部４３が上方向に移動して、貯留された第２の化粧料(Ｃ２)に上方向の押圧力を与えることになり、該当押圧力によって、第２の化粧料(Ｃ２)は、上方向にせり出されて移動することになる。 
【００６４】
上方向に移動される第２の化粧料(Ｃ２)は、連通している第１の吐出管４１１の上部を介して流入され、第１の吐出管４１１に沿って、下部にせり出されて移動することになる。
【００６５】
第１の吐出管に沿って移動される第２の化粧料(Ｃ２)は、連通している第２の吐出管４２１へ連続して移動され、第２の化粧料(Ｃ２)に加えられた押圧力及び重力によって、第２の化粧料(Ｃ２)は、第２の吐出管４２１の下部内側に設けられた流動調節膜４２１ａの貫通孔(ｐ)を通しながら、貫通孔を下部で塞いでいる移動膜４４１に力を加えることになり、移動膜４４１は、下部に結合したバネを圧縮しながら、貫通孔(ｐ)を開く。
【００６６】
開かれた貫通孔を介して移動する第２の化粧料(Ｃ２)は、チップ４５まで移動した後、チップ４５の袋本体４５２の側部又は下部に形成された吐出溝(ｈ)を介して流出されることで、袋本体４５２を取り囲んでいる含浸材４５３に含有されるか、又は既に含有されている第１の化粧料(Ｃ１)と混合して使用することができるようになる。
【００６７】
本発明は前記で言及した好適な実施例に関して説明されたが、本発明の要旨と範囲から逸脱することなく、他の様々な修正や変形が可能である。そのため、開示された実施例は、限定的な観点ではなく、説明的な観点で考えられるべきである。本発明の範囲は、前述した説明ではなく、特許請求の範囲に示されており、それと同等な範囲内にある全ての相違点は、本発明に含まれると解析されるべきである。
【図１】
2020512152.tif 000003
【図２】
2020512152.tif 000004
【図３】
2020512152.tif 000005
【図４】
2020512152.tif 000006
【図５】
2020512152.tif 000007
【図６】
2020512152.tif 000008
【国際調査報告】
2020512152.tif 000009
2020512152.tif 000010
2020512152.tif 000011
2020512152.tif 000012